(57)【特許請求の範囲】
【請求項１】
補強棒材を繊維強化樹脂製の棒材を使用してコ字状に曲げ、該コ字状に曲げた両脚部を切土法面地中に掘削穴を設けて挿入し、セメントミルクを流し込んで固着した後、切土法面上に前記補強棒材の上端部を包含するようにコンクリートを打設して施工することを特徴とする切土法面の補強土工法。
【請求項２】
補強棒材の上端部を切土法面上に浮かすように保持して、補強棒材の上端部を包含するようにコンクリートを打設して施工することを特徴とする請求項１記載の切土法面の補強土工法。
【請求項３】
補強棒材の上端部の片側若しくは両側に、１乃至複数のストレートな繊維強化樹脂製の棒材を保持させてコンクリートを打設することを特徴とする請求項１又は請求項２記載の切土法面の補強土工法。
【請求項４】
切土法面地中に両脚部を挿入して固着するようにコ字状に曲げた繊維強化樹脂製の補強棒材と、切土法面に突き差して前記補強棒材の上端部を切土法面上に浮かすように保持する保持部材とにより構成してなることを特徴とする切土法面の補強土工材。
【請求項５】
補強棒材の上端部の片側若しくは両側に、１乃至複数のストレートな繊維強化樹脂製の棒材を保持させて構成してなることを特徴とする請求項４記載の切土法面の補強土工材。
【請求項６】
コ字状に曲げた補強棒材及びストレートな棒材を、炭素繊維と熱硬化性樹脂を複合化して強化し、ケーブル状に撚り合わせた棒材にしてなることを特徴とする請求項４又は請求項５記載の切土法面の補強土工材。
【発明の詳細な説明】
【０００１】
【発明の属する技術分野】
本発明は、長期に亘り耐久性の維持を図ることのできる切土法面の補強土工法及び補強土工材に関するものである。
【０００２】
【従来の技術】
従来、切土法面の補強土工法として、切土法面上に金網型枠を組み立てた後にコンクリートを吹き付けて格子状のコンクリート枠を形成し、該コンクリート枠の交点部分に穴を設け、切土法面地中にセメントミルク等を流し込んで固着した鉄筋補強棒材をコンクリート枠の表面に突き出し、ナットの締付けにより固定する工法や、切土法面の全面に吹付けコンクリートを施工し、該吹付けコンクリートの表面に鉄板補強材を当てて、切土法面の地中にセメントミルク等を流し込んで固着した鉄筋補強棒材を鉄板補強材の表面に突き出し、ナットの締付けにより固定する工法等が一般的に周知されている。
【０００３】
【発明が解決しようとする課題】
しかしながら、上記従来の工法においては、切土法面地中にセメントミルク等を流し込んで固着する補強棒材に鉄筋を使用し、鉄製のナットをねじつけて切土法面に施工したコンクリートを締付け固定することから、補強棒材やナットが錆びて腐食することや、金網型枠にコンクリートを吹き付けたり、吹付けコンクリートの表面に鉄板補強材を当てて固定することから、金網や鉄板が錆びてコンクリートが経年劣化しやすいことなどの欠点があり、長期に亘り耐久性の維持を図ることが期待できない解決すべき課題がある。
【０００４】
【課題を解決するための手段】
本発明は上記従来技術における欠点を解消することにより、切土法面の耐久性を長期に亘り維持可能とする切土法面の補強土工法及び補強土工材を提供するもので、その解決手段は以下に記載するとおりである。
すなわち、
（１）補強棒材を繊維強化樹脂製の棒材を使用してコ字状に曲げ、該コ字状に曲げた両脚部を切土法面地中に掘削穴を設けて挿入し、セメントミルクを流し込んで固着した後、切土法面上に前記補強棒材の上端部を包含するようにコンクリートを打設して施工することを特徴とする切土法面の補強土工法である。
（２）補強棒材の上端部を切土法面上に浮かすように保持して、補強棒材の上端部を包含するようにコンクリートを打設して施工することを特徴とする前項（１）記載の切土法面の補強土工法である。
（３）補強棒材の上端部の片側若しくは両側に、１乃至複数のストレートな繊維強化樹脂製の棒材を保持させてコンクリートを打設することを特徴とする前項（１）又は（２）記載の切土法面の補強土工法である。
【０００５】
（４）切土法面地中に両脚部を挿入して固着するようにコ字状に曲げた繊維強化樹脂製の補強棒材と、切土法面に突き差して前記補強棒材の上端部を切土法面上に浮かすように保持する保持部材とにより構成してなることを特徴とする切土法面の補強土工材である。
（５）補強棒材の上端部の片側若しくは両側に、１乃至複数のストレートな繊維強化樹脂製の棒材を保持させて構成してなることを特徴とする前項（４）記載の切土法面の補強土工材である。
（６）コ字状に曲げた補強棒材及びストレートな棒材を、炭素繊維と熱硬化性樹脂を複合化して強化し、ケーブル状に撚り合わせた棒材にしてなることを特徴とする前項（４）又は（５）記載の切土法面の補強土工材である。
【０００６】
【発明の実施の形態】
本発明の実施の形態を実施例を示す図面に基づいて説明すると、本発明は図１に示すように補強棒材１を繊維強化樹脂製の棒材を使用してコ字状に曲げ、該コ字状に曲げた脚部１ａ、１ａを、切土法面Ａの地中に掘削して設けた掘削穴Ｂ、Ｂに挿入すると共に、補強棒材１の上端部を切土法面上に浮かすように保持部材２で保持して、前記掘削穴Ｂ、Ｂにセメントミルクを流し込んで固着した後、切土法面上に、前記補強棒材１の上端部を包含するようにコンクリートを打設して施工するようにしたものである。
【０００７】
コ字状に曲げた補強棒材１の脚部１ａ、１ａは、掘削穴Ｂ、Ｂのほぼ中心に位置するようにスペーサー３、３で保持され、切土法面Ａの上方には補強棒材１の上端部を包含するようにコンクリートを打設するため、型枠４が補強棒材１の上端部を包囲するように被せてあり、型枠４の上面からは注入ホース５、５を貫通させ、掘削穴Ｂ、Ｂと補強棒材１の脚部１ａ、１ａとの隙間へ延出させて、セメントミルクを掘削穴Ｂ、Ｂに流し込めるようにしてある。
【０００８】
又、型枠４の上面下方部には、型枠内にコンクリートを流し込んで打設するための穴４ａ、上方部側面にはコンクリート打設によるエアー抜きと打設終了を確認するための穴４ｂが穿設されており、型枠内に流し込んで打設したコンクリートが養成固化した後は型枠４を撤去することから、適度な抜き勾配を設けた型枠とするのがよい。
なお、本発明は切土法面上に前記補強棒材１の上端部を包含するようにコンクリートを打設するのに、前記型枠４を補強棒材１の上端部を包囲するように被せて行う施工に限定するものではなく、例えば切土法面上に、コンクリートの吹付けによる格子状のコンクリート枠を形成する施工や、切土法面の全面に吹付けコンクリートを施行する場合にも適用でき、コンクリート内に包含された補強棒材１でコンクリートの脆性が補強されるので、従来より使用される金網型枠や鉄板補強材は使用しないことにした。
【０００９】
図２は前記補強棒材１の上端部を切土法面上に浮かして保持する実施例を斜視図で示すもので、保持部材２、２の下端部を切土法面Ａに突き差して立て、補強棒材１の上端部を保持部２ａ、２ａで保持して切土法面Ａの上方に浮かしている。なお、切土法面が岩盤のような突き差し困難な場合は、電動ドリル等で予め穴をあけて、前記保持部材２、２の下端部を突き差すようにするとよい。
【００１０】
図３は補強棒材１の上端部の片側に１本のストレートな繊維強化樹脂製の棒材１Ａを保持させた実施例を斜視図で示すもので、補強棒材１の上端部と、棒材１Ａを保持部材２Ａの保持部２ａ、２ａと２ｂ、２ｂで保持して、切土法面上に打設するコンクリートの脆性補強をより強化させるようにしたものであり、補強棒材１の上端部は棒材１Ａとは反対側へ曲げて、補強棒材１と棒材１Ａとの間のほぼ中間に掘削穴Ｂ、Ｂが位置するようにしてある。
【００１１】
更に、切土法面上に打設するコンクリートの脆性補強をより強化するには、図示されていないが補強棒材１の両側にストレートな繊維強化樹脂製の棒材１Ａを１乃至複数保持させてコンクリートを打設するとよい。
【００１２】
前記補強棒材１及び棒材１Ａは、一般的には炭素繊維と熱硬化性樹脂を複合化して強化し、ケーブル状に撚り合わせた棒材を使用するが、炭素繊維に限らず、例えばガラス繊維で強化した樹脂でもよく、ケーブル状に撚り合わせて成形する代わりに鉄筋のように表面を凹凸状に成形してもよい。補強棒材１及び棒材１Ａの太さは直径をおおむね１２〜２５ミリメートル、コ字状に曲げた補強棒材１の脚部２ａ、２ａ間の寸法をおおむね１〜１．５メートルとして、脚部２ａの長さをおおむね１．５〜５．０メートルとしているが、これに限定するものではない。
【００１３】
補強棒材１及び棒材１Ａを保持する保持部材２、２Ａと、掘削穴Ｂ内で補強棒材１の脚部２ａを中心位置で保持するスペーサー３は合成樹脂等で製作し、腐食性のある金属等は使用しないことにしており、前記スペーサー３については市販されているものもあり、適合するものがあれば使用してもよい。
【００１４】
切土法面の地中に掘削する掘削穴Ｂは、前記補強棒材１の脚部２ａと２ａの間の寸法に合わせて２箇所に掘削し、その穴の直径はおおむね４０〜９０ミリメートル、穴の深さは補強棒材１の脚部２ａの長さに合わせておおむね１．５〜５．０メートルとしているが、これに限定するものではない。
【００１５】
【実施例】
次に、本発明による切土法面の施工実施例について説明すると、図１において先ず、コ字状に曲げた補強棒材１の脚部１ａ、１ａに合わせて切土法面Ａの地中に掘削穴Ｂ、Ｂを掘削し、該掘削穴Ｂ、Ｂに前記補強棒材１の脚部１ａ、１ａをスペーサー３、３を介在させて穴の中心位置で保持すると共に、補強棒材１の上端部を切土法面上に浮かすようにして、保持部材２、２を切土法面に突き立てて保持する。
【００１６】
次いで、補強棒材１の上方から型枠４を被せ、型枠４の上面より注入ホース５、５を貫通させて掘削穴Ｂ、Ｂへ挿入し、注入ホース５、５よりセメントミルクを掘削穴Ｂ、Ｂへ流し込んで充満させ、養成固化して補強棒材１の両脚部１ａ、１ａを切土法面Ａの地中に固着させた後に、型枠４の上面下方部に穿設された穴４ａに注入ホース等を挿入して型枠内にコンクリートを流し込んで充満させる。
【００１７】
型枠内に充満させたコンクリートが養成期間を経て固化した後、型枠４を撤去してコンクリート面を露出させ、注入ホース５、５をコンクリート上面と面一にして切除する。或いは注入ホース５、５は掘削穴Ｂ、Ｂにセメントミルクを流し込んで充満させた後、セメントミルクが固化する前に抜き取ってもよく、又、型枠４を被せない状態で掘削穴Ｂ、Ｂにセメントミルクを流し込んで固着した後、型枠４を被せてコンクリートを型枠内に流し込み打設してもよい。
【００１８】
以上のようにして、切土法面Ａの地中にコ字状に曲げた補強棒材１の両脚部を固着し、補強棒材１の上端部を包含するようにコンクリートを打設して、切土法面の要所を施工して行くことにより図４に示すような切土法面の施工が形成される。
図４では型枠４によりコンクリートブロック６、６、・・・を切土法面Ａ上に一定の間隔で段違いに配列して施工した実施例を示すが、これに限定するものではなく、例えば図５に示すように格子状のコンクリート枠７を形成して、該格子状のコンクリート枠の要所を補強棒材１、１、・・・で補強するようにしてもよい。
【００１９】
上記格子状のコンクリート枠７の施工は、切土法面Ａの地中にコ字状に曲げた補強棒材１、１、・・・の両脚部を固着して要所に配設した後、該補強棒材１を両側から囲むように切土法面上に格子状の枠体（図示せず）を組立て、枠体内に上方からコンクリートを吹き付けたりして打設し、養成固化後に枠体を解体することにより行う。
【００２０】
又、切土法面Ａの地中にコ字状に曲げた補強棒材１、１、・・・の両脚部を固着して配設した後、図示されていないが、切土法面Ａの全面に吹付けコンクリートを施工してもよい。
【００２１】
【発明の効果】
以上記述した如く、本発明はコ字状に曲げた補強棒材の両脚部を切土法面の地中に固着して上端部を包含するようにコンクリートを切土法面上に打設するから、打設したコンクリートの表面に補強棒材を突き出してナットの締付けにより固定する必要がなくなり、締付け作業が不要となる。
【００２２】
又、コ字状に曲げた補強棒材は、繊維強化樹脂製の棒材を使用し、且つナットを使用しないから、錆びて腐食する恐れがなく、コンクリートの経年劣化が防止されて長期に亘り耐久性の維持を図るのに効果を奏する。
【００２３】
更に、コ字状に曲げた補強棒材の上端部及び該上端部の片側若しくは両側に１乃至複数のストレートな繊維強化樹脂製の棒材を保持させてコンクリートを包含するように打設するから、コンクリートの脆性を補強するのに効果を奏する。
【図面の簡単な説明】
【図１】本発明の実施例を示す側断面図である。
【図２】補強棒材の上端部を切土法面上に浮かして保持した実施例を示す斜視図である。
【図３】補強棒材の上端部の片側にストレートな棒材を保持させた実施例を示す斜視図である。
【図４】コンクリートブロックにして切土法面上に配設した本発明の施工実施例を示す斜視図である。
【図５】格子状のコンクリート枠にして切土法面上に施工した本発明の施工実施例を示す斜視図である。
【符号の説明】
Ａ  切土法面
Ｂ  掘削穴
１  補強棒材
１Ａ  棒材
１ａ  脚部
２、２Ａ  保持部材
２ａ、２ｂ  保持部
３  スペーサー
４  型枠
４ａ、４ｂ  穴
５  注入ホース
６  コンクリートブロック
７  コンクリート枠
【図１】
0003558603.tif 000002
【図２】
0003558603.tif 000003
【図３】
0003558603.tif 000004
【図４】
0003558603.tif 000005
【図５】
0003558603.tif 000006